(57)【要約】【課題】ワンタッチキャップタイプのエアゾール容器において、キャップ部を変更することなく噴射音を調整してこもり音がなく、消費者に不快感を与えないと同時に意匠も従来形状を維持できるようなボタン形状のワンタッチキャップを提供する。【解決手段】ワンタッチキャップの外筒１０内に、噴射ボタン１２を配設し、当該噴射ボタン１２の操作によって噴射ノズル１４から噴射可能にしたワンタッチキャップにおいて、噴射ボタン１２に、噴射ノズル１４を設けたものであり、噴射ボタン１２の基部には、その周壁１２ａから内方に向けて形成した凹部１２ｂを備え、噴射ノズル１４は、前記凹部１２ｂの底部１２ｂ１よりも外方に立設して、噴射ノズル１４の先端は側面視で凹部１２ｂ開口先端にいたる範囲に形成した。【選択図】図１
2015196534.tif 000002
【特許請求の範囲】
【請求項１】
ワンタッチキャップの外筒内に、噴射ボタンを配設し、当該噴射ボタンの操作によって噴射ノズルから噴射可能にしたワンタッチキャップにおいて、
噴射ボタンに、噴射ノズルを設けたものであり、
噴射ボタンの基部には、その周壁から内方に向けて形成した凹部を備え、
噴射ノズルは、前記凹部の底部よりも外方に立設して、噴射ノズルの先端は側面視で凹部開口先端にいたる範囲に形成したことを特徴とするワンタッチキャップ。
【請求項２】
噴射ノズルが噴射ボタンの周壁よりも外方に位置する場合には、ワンタッチキャップの外筒よりも内側に位置するようにしたことを特徴とする請求項１に記載のワンタッチキャップ構造。
【発明の詳細な説明】
【技術分野】
【０００１】
本発明はワンタッチキャップに関する。
【背景技術】
【０００２】
従来、エアゾール容器のキャップとボタンにおいて、キャップを取って噴射ボタンを押すオーバーキャップタイプと、キャップを取らずに簡単に噴射ボタンを押すことができるワンタッチタイプが採用されている。
【０００３】
オーバーキャップタイプは噴射口があらわになっているので、ボタン形状や組成を変更することで噴射音を容易に変更することができる一方、ワンタッチキャップタイプはボタンの周囲をキャップが覆っているため、ボタン部だけでなくキャップ部で音が反響して噴射音がこもってしまい、消費者に不快感を与える場合があった。
【０００４】
特許文献１では、エアゾール容器をステムと連通し、ノズルの直径０．４−１ｍｍ、長さ０．３−２ｍｍとし、このノズルから噴出する粉末内容物の導出路を直径１−３ｍｍ長さ３−２０ｍｍで設けたエアゾール用押しボタンを設けている。この特許文献１では、狭い範囲への塗布できるようにしている。
【０００５】
また、特許文献２では、導入口の孔径よりも先端部の孔径が大きいエアゾール装置の噴口が提案されている。この特許文献２では、特定の範囲に絞ってエアゾールの噴射が可能になっている。
【０００６】
特許文献１、２のいずれも噴射範囲についての設定ができるが、こもり音についての対策はされていないものであった。
【０００７】
一方、出願人は、特許文献３において、外側側面部及び内側側面部間に内側噴射用開口部と外側噴射用開口部を連通させる隔壁を設け、隔壁を凹凸に形成して、エアゾール容器の噴射音を低減できるワンタッチキャップを提案している。
【０００８】
しかしながら、この特許文献３では、キャップ部の変更をしてこもり音を解消する形状を提案したが、キャップ部の意匠性が大きく変わるといった課題があった。
【先行技術文献】
【特許文献】
【０００９】
【特許文献１】特開２０００−２３８８６７号公報
【特許文献２】特開平１１−２２１４９９号公報
【特許文献３】特開２００９−２６９６３８号公報
【発明の概要】
【発明が解決しようとする課題】
【００１０】
本発明は、上記の実情に鑑み、ワンタッチキャップタイプのエアゾール容器において、キャップ部を変更することなく噴射音を調整してこもり音がなく、消費者に不快感を与えないと同時に意匠も従来形状を維持できるようなボタン形状のワンタッチキャップを提供する。
【課題を解決するための手段】
【００１１】
本発明は、ワンタッチキャップの外筒内に、噴射ボタンを配設し、当該噴射ボタンの操作によって噴射ノズルから噴射可能にしたワンタッチキャップにおいて、
噴射ボタンに、噴射ノズルを設けたものであり、
噴射ボタンの基部には、その周壁から内方に向けて形成した凹部を備え、
噴射ノズルは、前記凹部の底部よりも外方に立設して、噴射ノズルの先端は側面視で凹部開口先端にいたる範囲に形成したことを特徴とするワンタッチキャップである。
【００１２】
本発明において、上記凹部は半球状であることが好ましい。
【００１３】
本発明において、噴射ノズルが噴射ボタンの周壁よりも外方に位置する場合には、ワンタッチキャップの外筒よりも内側に位置するようにしたことが好適である。
【発明の効果】
【００１４】
本発明において、凹部内に底部よりも外方に噴射ノズルを立設したので、凹部に衝突していた一部の噴流が乱流となることを制御することができることから、噴射音が低減する。
【００１５】
なお、噴射ノズルが噴射ボタンの周壁よりも外方に位置する場合には、ワンタッチキャップの外筒よりも内側に位置するようにしたことにより、噴射ノズルの先端がワンタッチキャップの外筒の外側側面部に近接するので、外筒の外側側面部等の壁部による乱流も制御でき、したがって、より噴射音低減できる等の効果がある。
【図面の簡単な説明】
【００１６】
【図１】（ａ）、（ｂ）は、本発明の実施形態に係るワンタッチキャップの斜視図、断面図である。
【図２】変形例に係るワンタッチキャップの斜視図である。
【発明を実施するための形態】
【００１７】
以下、本発明の実施形態について添付図面を参照して説明する。
【００１８】
図１は、本発明の実施形態に係るワンタッチキャップの説明図である。
【００１９】
図１に示すように、ワンタッチキャップの外筒１０内に、噴射ボタン１２を配設し、当該噴射ボタン１２の下方に押す操作によって噴射ノズル１４から収容容器１６内のエアゾール（液体と気体の混合物）化された内容物を噴射可能にしたワンタッチキャップに関するものである。
【００２０】
収容容器１６は、例えばスチールやアルミニウム等からなる金属製の耐圧容器である。内容物は、制汗剤、消臭剤、芳香剤等の有効成分に溶剤や補助剤を含む液体や液体ガスや圧縮ガス等の噴射剤が充填されている。
【００２１】
外筒１０はオーバーキャップとも称するものである。外筒１０は外さなくても噴射ボタン１２の操作によって、噴射ノズル１４から噴射できるように外筒１０内で噴射ボタン１２が上下動可能に配置されている。
【００２２】
詳しくは、収容容器１６には、突没動作により開閉する棒状のステム１６ａが上部に突設され、このステム１６ａには噴射ボタン１２が外嵌される。噴射ボタン１２の押圧操作によってステム１６ａが開いて、噴射する。外筒１０は、前記収容容器１６の上端の巻締め部１６ｂに取付けられる筒状の外側側面部１０ａを有し、外側側面部１０ａの一部には外側噴射用開口部１０ｂが設けられる。
【００２３】
前記外側側面部１０ａの内方には、噴射ボタン１２を突没操作可能にして噴射ボタン１２の外周面形状と略同一の内周面形状を有する、外筒１０上端より噴射ノズル１４付近まで垂下した内側側面部１０ｃを備えている。外筒１０の、外側側面部１０ａ及び内側側面部１０ｃはプラスチック樹脂によって一体成形されている。
【００２４】
噴射ボタン１２の噴射ノズル１４と、外側側面部１０ａの外側噴射用開口部１０ｂとは中心がほぼ位置合わせされる。また、内側側面部１０ｃには噴射ノズル１４を遮らないように切り欠きが形成されている。噴射ボタン１２から噴射される内容物は、内側側面部１０ｃの切り欠きから外側噴射用開口部１０ｂを通して外部に噴出することができる。
【００２５】
噴射ボタン１２に、噴射ノズル１４を設けたものである。噴射ボタン１２には、外側が周壁１２ａで内側にステム１６ａからノズルに向かう内容物の通路１８が形成される。
【００２６】
噴射ボタン１２の基部には、その周壁１２ａから内方に向けて形成した凹部１２ｂを備え、噴射ノズル１４は、前記凹部１２ｂの底部１２ｂ１よりも外方に立設して、噴射ノズル１４の先端は側面視で凹部１２ｂ開口先端にいたる範囲に形成している。周壁１２ａの外面よりも引っ込んでいる。
【００２７】
上記凹部１２ｂは半球形状（半楕円形状）である。
【００２８】
実施形態のワンタッチキャップにおいては、凹部１２ｂ内に底部１２ｂ１よりも外方に噴射ノズル１４を立設したので、噴射ノズルが立設されていない場合に、凹部１２ｂに衝突していた一部の噴流が乱流となることを制御することができることから、噴射音が低減する。
【００２９】
具体的にワンタッチキャップについて従来品と本発明品の噴射音を比較した結果を説明する。
評価方法：出願人製品の「パウダースプレイの収容容器」に噴射ノズルの無い現行品の噴射ボタンと噴射ノズルを設けた本発明品を装着して交互に噴射し、噴射音を比較した。外筒（オーバーキャップ）を設けた場合と外筒を設けない場合について噴射音を測定した。測定結果を下表１に示す。
【００３０】
【表１】
2015196534.tif 000003
【００３１】
その結果、現行品と本発明品を比較すると、現行品よりも本発明品は、噴射音が５５％（＝｛（９０−４０）／９０｝＊１００）低減することが分かった。また、外筒（オーバーキャップ）を組み合わせることで噴射音が４５％
（＝｛（１００−５５）／１００｝＊１００）減少することが分かった。
さらに、ノズルの長さを延ばしてワンタッチキャップの外筒部内側位置であると、噴射音が６４％（＝｛（９０−３２）／９０｝＊１００）減少し、ワンタッチキャップと組み合わせることによって噴射音が６８％（＝｛（１００−３２）／１００｝＊１００）減少することが分かった。
【００３２】
なお、本発明は前記実施形態に限定されない。
図２は、変形例に係るワンタッチキャップの斜視図である
図２に示すように、変形例のオーバーキャップでは、噴射ノズル１４が噴射ボタン１２の周壁１２ａよりも外方に位置する場合には、ワンタッチキャップの外筒１０よりも内側に位置するようにできるものである。
【００３３】
噴射ノズル１４が噴射ボタン１２の周壁１２ａよりも外方に位置させて外筒１０の外側側面部１０ａよりも内側に位置するようにしたことにより、噴射ノズル１４の先端がワンタッチキャップの外側側面部１０ａに近接するので、噴射ボタン１２の凹部１２ｂや外側側面部１０ａ等の壁面による乱流も制御でき、したがって、より噴射音低減できる等の効果がある。
【産業上の利用可能性】
【００３４】
本発明のワンタッチキャップは、容器内の内容物として制汗剤、消臭剤、芳香剤等の有効成分に溶剤や補助剤を含む液体や液体ガスや圧縮ガス等の噴射剤が充填されている製品に利用することができる。
【符号の説明】
【００３５】
１０  外筒
１０ａ  外側側面部
１０ｂ  外側噴射用開口部
１０ｃ  内側側面部
１２  噴射ボタン
１２ａ  周壁
１２ｂ  凹部
１２ｂ１  凹部の底部
１４  噴射ノズル
１６  収容容器
１８  通路
【図１】
2015196534.tif 000004
【図２】
2015196534.tif 000005